(57)【要約】【課題】結線作業を省力化するとともに、適正な長さのケーブルを無駄なく使用することができる太陽電池モジュールを備えた覆蓋パネル構造体を提供すること。【解決手段】覆蓋１に太陽電池モジュール２を配設した覆蓋パネル構造体３において、覆蓋１に、覆蓋の太陽電池モジュール２の配線５と他の覆蓋の太陽電池モジュールの配線とを接続するコネクタ部６を形成する。【選択図】  図１
2004148197.tif 000002
【特許請求の範囲】
【請求項１】
覆蓋に太陽電池モジュールを配設した覆蓋パネル構造体において、前記覆蓋に、該覆蓋の太陽電池モジュールの配線と他の覆蓋の太陽電池モジュールの配線とを接続するコネクタ部を形成したことを特徴とする太陽電池モジュールを備えた覆蓋パネル構造体。
【発明の詳細な説明】
【０００１】
【発明の属する技術分野】
本発明は、各種の処理槽、貯留槽等を覆うために用いられる覆蓋や駐車場、工場、倉庫等の屋根（塀、工場、倉庫の壁面等の鉛直面を構成する部材を含む。）に使用される太陽電池モジュールを備えた覆蓋パネル構造体に関し、特に、太陽電池セルを組み込むことにより、太陽光をエネルギー源として発電を行えるようにした太陽電池モジュールを備えた覆蓋パネル構造体に関するものである。
【０００２】
【従来の技術】
従来、例えば、浄水場においては、原水に凝集剤を添加して凝集・沈澱処理した後、この処理水をオゾン処理し、さらに活性炭処理及び砂濾過処理する処理方法が採用されており、これらの処理は、それぞれ専用の処理槽において行うようにしている。
【０００３】
これらの処理を行う処理槽は、通常、上方を解放したままのものが多く用いられており、このため、大気中の塵埃が処理槽内に侵入したり、処理槽内に太陽光が直接照射されることによって藻類が大量に発生することにより、処理水の処理工程に支障が生じたり、処理水の品質が低下するという問題があり、さらに、外部からの侵入者や飛来物に対する保安面等の安全対策の点等においても問題があった。
【０００４】
一方、従来より、エネルギーの供給システムに関して、石油等の化石燃料の枯渇や環境汚染の問題が叫ばれ、水力、地熱、太陽光、風力といった再生可能なエネルギー源を用いたエネルギーの供給システムの開発が緊急の課題として要請されている。
そこで、覆蓋に太陽電池モジュールを配設した複数の覆蓋パネルを屋根等に設置する覆蓋パネル装置が提案されている。
【０００５】
【発明が解決しようとする課題】
ところで、このような覆蓋パネル装置では、多数の覆蓋パネルを屋根等に設置することにより装置全体が形成されるが、覆蓋パネルを固定した後には各覆蓋パネルの太陽電池モジュールの配線を接続する必要がある。
この場合、従来の覆蓋パネル装置では、多数の太陽電池モジュールが予め備えるケーブル同士を結線していたが、太陽電池モジュールの結線パターンが並列であったり直列であったりすることから、既製のケーブルでは長すぎたり短すぎたりすることがあり、結線作業に時間と手間がかかるという問題があった。
【０００６】
本発明は、上記従来の覆蓋パネル装置が有する問題点に鑑み、結線作業を省力化するとともに、適正な長さのケーブルを無駄なく使用することができる太陽電池モジュールを備えた覆蓋パネル構造体を提供することを目的とする。
【０００７】
【課題を解決するための手段】
上記目的を達成するため、本発明の太陽電池モジュールを備えた覆蓋パネル構造体は、覆蓋に太陽電池モジュールを配設した覆蓋パネル構造体において、前記覆蓋に、該覆蓋の太陽電池モジュールの配線と他の覆蓋の太陽電池モジュールの配線とを接続するコネクタ部を形成したことを特徴とする。
【０００８】
この太陽電池モジュールを備えた覆蓋パネル構造体は、覆蓋に、該覆蓋の太陽電池モジュールの配線と他の覆蓋の太陽電池モジュールの配線とを接続するコネクタ部を形成することから、結線パターンにより変化する長さに対応するケーブルを自由に使用することができ、これにより、結線作業を省力化するとともに、適正な長さのケーブルを無駄なく使用することができる。
【０００９】
【発明の実施の形態】
以下、本発明の太陽電池モジュールを備えた覆蓋パネル構造体の実施の形態を図面に基づいて説明する。
【００１０】
図１〜図３に、本発明の太陽電池モジュールを備えた覆蓋パネル構造体の一実施例を示す。
この太陽電池モジュールを備えた覆蓋パネル構造体は、覆蓋１に太陽電池モジュール２を配設した複数の覆蓋パネル構造体３を浄水場の処理槽４等に設置するもので、前記覆蓋１に、該覆蓋１の太陽電池モジュール２の配線５と他の覆蓋１の太陽電池モジュール２の配線５とを接続するコネクタ部６を形成している。
【００１１】
覆蓋１は、例えば、図１（ａ）や図３（ｃ）に示すように、断面が略三角形で傾斜した天板を備えた形状を呈し、上部に太陽電池モジュール２が固定されている。
太陽電池モジュール２が固定された覆蓋１は、図３に示すように、覆蓋パネル構造体３として、浄水場の処理槽４等に設置される。
【００１２】
太陽電池モジュール２は、完全防水が施された板状のものが、下部を支持された状態で前記覆蓋１に固定されている。
この太陽電池モジュール２は、例えば、隣接する覆蓋パネル構造体３間同士で配線５が接続される。
【００１３】
コネクタ部６は、本実施例では、覆蓋１の後部壁１１に配設されており、１個の覆蓋１につき＋極と−極の２個が設けられている。
コネクタ部６は、その覆蓋１の太陽電池モジュール２の配線５が接続された雌型６１が後部壁１１に固定されており、該雌型６１には、他の覆蓋１の太陽電池モジュール２の配線５がケーブル７を介して接続される。
すなわち、覆蓋パネル構造体３間の太陽電池モジュール２の配線５の接続は、各覆蓋パネル構造体３に設けられたコネクタ部６に、両端に雄型７１が設けられた所定長さのケーブル７を差し込むことにより簡単に行うことができる。
【００１４】
かくして、本実施例の太陽電池モジュールを備えた覆蓋パネル構造体は、覆蓋１に、該覆蓋１の太陽電池モジュール２の配線５と他の覆蓋１の太陽電池モジュール２の配線５とを接続するコネクタ部６を形成することから、結線パターンにより変化する長さに対応するケーブル７を自由に使用することができ、これにより、結線作業を省力化するとともに、適正な長さのケーブル７を無駄なく使用することができる。
【００１５】
以上、本発明の実施例を説明したが、本発明の太陽電池モジュールを備えた覆蓋パネル構造体は、この実施例の記載に限定されるものではなく、その趣旨を逸脱しない範囲において適宜に変更することが可能である。
【００１６】
【発明の効果】
本発明の太陽電池モジュールを備えた覆蓋パネル構造体によれば、覆蓋に、該覆蓋の太陽電池モジュールの配線と他の覆蓋の太陽電池モジュールの配線とを接続するコネクタ部を形成することから、結線パターンにより変化する長さに対応するケーブルを自由に使用することができ、これにより、結線作業を省力化するとともに、適正な長さのケーブルを無駄なく使用することができる。
【図面の簡単な説明】
【図１】本発明の太陽電池モジュールを備えた覆蓋パネル構造体の一実施例を示し、（ａ）は断面図、（ｂ）はコネクタ部の拡大断面図、（ｃ）は（ａ）のＡ部の拡大図である。
【図２】同実施例の太陽電池モジュールを備えた覆蓋パネル構造体を示し、（ａ）は背面図、（ｂ）は（ａ）のＡ部の拡大断面図、（ｃ）は覆蓋の斜視図である。
【図３】太陽電池モジュールを備えた覆蓋パネル構造体の設置例を示し、（ａ）は平面図、（ｂ）は（ａ）のＡ−Ａ線断面図、（ｃ）は（ａ）のＢ−Ｂ線断面図である。
【符号の説明】
１    覆蓋
１１  後部壁
２    太陽電池モジュール
３    覆蓋パネル
４    処理槽
５    配線
６    コネクタ部
６１  雌型
７    ケーブル
７１  雄型
【図１】
2004148197.tif 000003
【図２】
2004148197.tif 000004
【図３】
2004148197.tif 000005